(57)【要約】      （修正有）【課題】相手ケースが補強され、信号端子の半田部が充分に回路基板に半田付けされ得る電気コネクタを提供する。【解決手段】相手コネクタ５０が相手ケースに挿入された時、ハウジング２０の底板２２は、外部へ押圧されない。これにより、相手ケースは破損し難い。又、接地端子３０には、第２接触部３２２が接地できることによって、外部へ延在する接地部を設置する必要がない。信号端子４０の半田部４３０が充分に回路基板に半田付けされることを実現できる。且つ、絶縁本体１０には、端子３０、４０を収容する収容槽１１３及び通槽と、第３接触部４２１を収容する凹槽１２０とが設けられる。又、絶縁本体１０とハウジング２０は、接地端子３０の第１接触部３２１が挿入される挿入槽２２１を有する。そのため、端子３０，４０が絶縁本体１０内に対向して配置されても、装置の高さが増えない。【選択図】図５
2006164943.tif 000002
【特許請求の範囲】
【請求項１】
相手コネクタを収容する電気コネクタにおいて、該電気コネクタは、  
基部と、対向して配置される頂壁及び底壁と、該頂壁及び底壁から囲成される収容スペースと、を有する絶縁本体と、
基部に固着される固持部と、固持部の一端から収容スペース向きに突出する第３接触部と、固持部の他端から延在して回路基板に半田付けされる半田部と、を有する複数の信号端子と、
基部に固着される固着部と、該固着部から前へ延在する弾力アームと、が設けられる複数の接地端子と、
絶縁本体の頂壁を覆う頂板と、絶縁本体の底壁の下部に位置する底板と、半田片と、を有し、絶縁本体が挿入されるハウジングと、を備え、
前記底壁には、底壁の上下表面を貫穿し、前記接地端子の弾力アームを収容する複数の通槽が設けられ、該接地端子は、第３接触部と対向して設置される第１接触部と、底壁向きに突設する第２接触部と、を有することを特徴とする電気コネクタ。
【請求項２】
前記第１接触部は、第２接触部の前に位置して上向きに突出し、第２接触部は、下向きに突出することを特徴とする、請求項１に記載の電気コネクタ。
【請求項３】
前記相手コネクタが、収容スペースに挿入されない時、接地端子の第２接触部が、ハウジングの底壁の上方に位置するのみで接触しないことを特徴とする、請求項２に記載の電気コネクタ。
【請求項４】
前記相手コネクタが信号端子と接地端子との間に挿入された時、相手コネクタは、接地端子の第１接触部と接触し、且つ接地端子を押圧することを特徴とする、請求項３に記載の電気コネクタ。
【請求項５】
前記接地端子の弾力アームが、押圧されることに従って底板に向きに傾斜し、第２接触部は、底板と接触して接地することを特徴とする、請求項４に記載の電気コネクタ。
【請求項６】
前記接地端子は、回路基板に電気接続される半田部を有しないことを特徴とする、請求項１に記載の電気コネクタ。
【請求項７】
前記絶縁本体には、信号端子を収容する複数の収容槽が設けられることを特徴とする、請求項１に記載の電気コネクタ。
【請求項８】
前記絶縁本体には、信号端子の第３接触部に対応する凹槽が設置されることを特徴とする、請求項７に記載の電気コネクタ。
【請求項９】
前記ハウジングには、接地端子の第１接触部に対応する挿入槽が設けられることを特徴とする、請求項１に記載の電気コネクタ。
【請求項１０】
前記絶縁本体には、複数の開口が設けられ、前記ハウジングには、対応する開口に嵌め込まれる複数の折り曲げ部が設けられることを特徴とする、請求項１に記載の電気コネクタ。
【発明の詳細な説明】
【技術分野】
【０００１】
本発明は、電気コネクタに関し、接地できる電気コネクタに関する。
【背景技術】
【０００２】
電気コネクタは、コンピュータ、携帯電話、ファックスのような電子装置に用いられる。該電気コネクタは、相手コネクタを連接して回路基板に電気接続される。通常、電気コネクタは、絶縁本体と、絶縁本体に固着されるハウジングと、所定の距離で隔てられて、お互いに平行に配列される複数の接地端子及び信号端子と、を備える。前記接地端子とハウジングとによって、接地することを実現できるとともに、電磁妨害を抑えることも実現できる。
【０００３】
一種の電気コネクタは、回路基板に電気接続される。該電気コネクタは、絶縁本体と、絶縁本体に固着される複数の接地端子と、複数の信号端子と、ハウジングと、を備える。前記絶縁本体は、矩形の基部と、該基部の上表面に位置する頂板と、を有する。各信号端子の一端には、頂板に沿って前へ延在する第１接触部が設けられ、他端には、後ろへ延在する第１半田部が設置される。接地端子には、主体部と、主体部の下部に位置する複数の第２接触部と、第２半田部とが設けられる。一対の信号端子の第１半田部の間に、一つの接地端子の第２半田部が設置される。第１半田部と第２半田部とが、回路基板に半田付けされる。前記ハウジングと絶縁本体とによって、相手コネクタを収容する相手ケースが形成される。相手ケースの一つの側壁が絶縁本体であり、他の側壁はハウジングである。
こうした電気コネクタの構造は従来技術文献に記載されている（例えば、特許文献１参照）。
【０００４】
ところが、該電気コネクタの相手ケースは、ハウジングと絶縁本体とから形成される。相手ケースの一つの側壁が絶縁本体であり、他の側壁はハウジングである。そのため、相手コネクタが相手ケースに挿入された時、ハウジングから形成される側壁は、外部へ押圧される。これにより、相手ケースは破損し易い。又、第１半田部と第２半田部の全部が回路基板に半田付けされるから、第１半田部は、充分に半田付けされることができない。
【０００５】
従って、本発明は前記の欠点を克服するために一種の新たな電気コネクタを設計する。
【特許文献１】特開平１１−２８３７１０号公報
【発明の開示】
【発明が解決しようとする課題】
【０００６】
本発明の目的は、こうした従来の問題点を解決した電気コネクタを提供することである。すなわち、従来の技術とは異なり、相手ケースが補強され、信号端子の半田部が充分に回路基板に半田付けされ得る電気コネクタが得られるようにする。
【課題を解決するための手段】
【０００７】
本発明は相手コネクタを収容する電気コネクタに関し、該電気コネクタは、基部と、絶縁本体と、複数の信号端子と、接地端子と、ハウジングとを備える。絶縁本体は、基部と、対向して配置される頂壁及び底壁と、該頂壁及び底壁から囲成される収容スペースと、を有する。信号端子は、基部に固着される固持部と、固持部の一端から収容スペース向きに突出する第３接触部と、固持部の他端から延在して回路基板に半田付けされる半田部と、を有する。接地端子には、基部に固着される固着部と、該固着部から前へ延在する弾力アームとが設けられる。ハウジングは、絶縁本体の頂壁を覆う頂板と、絶縁本体の底壁の下部に位置する底板と、半田片と、を備える。その中で、前記底壁には、底壁の上下表面を貫穿し、前記接地端子の弾力アームを収容する複数の通槽が設けられる。該接地端子は、第３接触部と対向して設置される第１接触部と、底壁向きに突設する第２接触部と、を有する。
【発明の効果】
【０００８】
従来の技術に比べると、本発明は以下の長所がある。本発明の電気コネクタは、相手ケースが、絶縁本体の頂壁と底壁とから一体に形成される。又、絶縁本体がハウジングに挿入される。そのため、相手ケースが補強される。又、接地端子には、接地できる第２接触部が設けられる。接地端子には、外部へ延在する接地部が必要ない。信号端子の半田部が、充分に回路基板に半田付けされ得る。且つ、絶縁本体には、端子を収容する通槽が設けられる。そのため、信号端子及び接地端子が絶縁本体内に対向して配置されても、装置の高さが増えない。
【発明を実施するための最良の形態】
【０００９】
図１において、相手コネクタ５０を収容する電気コネクタ１００は、絶縁本体１０と、金属部材から形成されるハウジング２０と、接地端子３０と、信号端子４０と、を備える。
【００１０】
図１乃至図４において、矩形の絶縁本体１０は、基部１１２と、該基部１１２の上側、下側に位置する頂壁１１０と、底壁１１１と、該頂壁１１０及び底壁１１１を連接する一対の端壁と、を有する。頂壁１１０と、底壁１１１と、一対の端壁とによって、相手ケースが形成される。相手コネクタ５０を収容する収容スペース１７０は、頂壁１１０と、底壁１１１とから囲成される。基部１１２には、複数の固定孔１１７が設置される。頂壁１１０には、複数の凹槽１２０が設けられる。頂壁１１０の内表面には、収容スペース１７０と連通する複数の収容槽１１３が開設される。底壁１１１には、収容スペース１７０と連通し、底壁１１１の上下表面を貫穿する複数の通槽１１４が設けられる。底壁１１１の前部には、内へ凹む開口１３０が設けられる。
【００１１】
図１及び図３において、信号端子４０は、基部１１２に固着される固持部４１０と、固持部４１０の一端から下向きに突出する第３接触部４２１と、固持部４１０の他端から後ろへ延在して回路基板に半田付けされる半田部４３０と、を有する。接地端子３０は、基部１１２に固着される固着部３１０と、該固着部３１０から前へ延在する弾力アーム３２０と、該弾力アーム３２０から下向きに突設する第２接触部３２２と、該第２接触部３２２の前に位置する第１接触部３２１と、を有する。前記接地端子は、回路基板に電気接続される半田部を有しない。第１接触部３２１は、上向きに突出し、第３接触部４２１と対向して設置される。これにより、相手コネクタ５０が、第１及び第３接触部３２１、４２１の間に挿入される。
【００１２】
図１、図３及び図４において、前記ハウジング２０は、対向して設置される頂板２１と底板２２とを有する。頂板２１の両端には、別々に両側へ延設される一対の半田片２１０が設けられる。頂板２１の後部の両端には、別々に後ろへ延在する一対の半田片２１１が設置される。ハウジング２０の底板２２の前辺には、内部向きに折り曲げられる複数の折り曲げ部２２０が設けられる。各対の折り曲げ部２２０の間に、一対の矩形の挿入槽２２１が設けられる。ハウジング２０の後部には、固定孔１１７に対応する複数の係合片２２３が設置される。
【００１３】
図1及び図７において、該電気コネクタ１００を取り付ける時、接地端子３０と信号端子４０とが、絶縁本体１０に挿入される。信号端子４０が、収容槽１１３に挿入され、第３接触部４２１が、収容槽１１３から収容スペース１７０向きに突出する。半田部４３０が、回路基板に半田付けされる。接地端子３０は、通槽１１４に挿入される。弾力アーム３２０が、通槽１１４に収容される。第１接触部３２１が、第３接触部４２１に対向して配置される。これにより、接地端子３０が、絶縁本体１０に、信号端子４０と対向して設置されても、電気コネクタ１００の高さが増えない。次に、端子３０，４０が取り付けられた絶縁本体１０は、ハウジング２０に挿入される。ハウジング２０の頂板２１が、絶縁本体１０の頂壁１１０を覆い、底板２２が、底壁１１１の下部に位置する。これにより、相手ケースが補強される。同時に、係合片２２３が、固定孔１１７に挿入される。折り曲げ部２２０が、対応する開口１３０に嵌め込まれる。ハウジング２０の半田片２１０が回路基板に半田付けされるとともに、接地することも実現できる。
【００１４】
図３及び図４において、相手コネクタ５０が該電気コネクタ１００に挿入されない時、第２接触部３２２が、ハウジング２０の底壁２２の上方に位置するのみで接触しない。
【００１５】
図５において、相手コネクタ５０が該電気コネクタ１００に挿入された時、相手コネクタ５０の端子が、信号端子４０に電気接続される。相手コネクタ５０の接地片（図示せず）が、接地端子３０の第１接触部３２１と接触し、且つ接地端子３０を押圧する。そのため、接地端子３０の弾力アーム３２０が、底板２２向きに傾斜し、最終的に、第２接触部３２２は、底板２２と接触し、接地することを実現できる。同時に、第１接触部３２１の自由端が、挿入槽２２１に挿入される。信号端子４０の第３接触部４２１の自由端が、相手コネクタ５０に押圧され、対応する凹槽１２０に収容される。
【００１６】
電気コネクタ１００の相手ケースは、絶縁本体１０の頂壁１１０と底壁１１１とから一体に形成される。又、ハウジング２０は、相手ケースを覆う。そのため、相手ケースが補強される。相手コネクタが相手ケースに挿入された時、ハウジング２０の底板２２は、外部へ押圧されない。これにより、相手ケースは破損し難い。又、接地端子３０には、第２接触部３２２が接地できることによって、外部へ延在する接地部を設置する必要がない。信号端子４０の半田部４３０が充分に回路基板に半田付けされることを実現できる。且つ、絶縁本体１０には、端子３０、４０を収容する収容槽１１３及び通槽１１４と、第３接触部４２１を収容する凹槽１２０とが設けられる。又、絶縁本体１０とハウジング２０は、接地端子３０の第１接触部３２１が挿入される挿入槽２２１を有する。そのため、端子３０，４０が絶縁本体１０内に対向して配置されても、装置の高さが増えない。
【００１７】
総じて、本発明の多数の特徴及び長所など、その構造及び機能が共に前述の記載により掲げられている。また前記の説明は、本発明に基づきなしうる細部の修正或は変更など、いずれも本発明の請求範囲に属するものとする。
【産業上の利用可能性】
【００１８】
本発明は電気コネクタに関し、特に、相手ケースが補強され、信号端子の半田部が充分に回路基板に半田付けされ得る電気コネクタに関する。
【図面の簡単な説明】
【００１９】
【図１】本発明の電気コネクタの分解斜視図である。
【図２】本発明の電気コネクタの組立斜視図である。
【図３】本発明の電気コネクタの図２のＡ−Ａ方向に沿った断面図である。
【図４】本発明の電気コネクタの図２のＢ−Ｂ方向に沿った断面図である。
【図５】本発明の電気コネクタの相手コネクタが挿入された断面図である。
【図６】本発明の電気コネクタの他の組立斜視図である。
【符号の説明】
【００２０】
１０  絶縁本体
２０  ハウジング
２１  頂板
２２  底板
３０  接地端子
４０  信号端子
５０  相手コネクタ
１００  電気コネクタ
１１０  頂壁
１１１  底壁
１１２  基部
１１３  収容槽
１１４  通槽
１１７  固定孔
１２０  凹槽
１３０  開口
１７０  収容スペース
２１０、２１１  半田片
２２０  折り曲げ部
２２１  挿入槽
２２３  係合片
３１０  固着部
３２０  弾力アーム
３２１  第１接触部
３２２  第２接触部
４１０  固持部
４２１  第３接触部
４３０  半田部
【図１】
2006164943.tif 000003
【図２】
2006164943.tif 000004
【図３】
2006164943.tif 000005
【図４】
2006164943.tif 000006
【図５】
2006164943.tif 000007
【図６】
2006164943.tif 000008